(57)【要約】      （修正有）【課題】構成簡易且つ製造容易であって比較的低廉にて供給でき、しかもビス止めによる直付けによらずに容易且つ迅速に後付け設置でき、寸法や取付位置の制約を受ける既存住宅にも十分対応し得る庇を提供する。【解決手段】アルミ等の長尺板製庇本体１と、庇本体１をその上面にて支持するアングル材２と、柱等に止め付けられてアングル材２を固定すると共に、庇本体１を掛け止める複数のブラケット３とから成り、ブラケット３は、基板とその背面に一体化される前記基板よりも上下に短いスペーサとから成り、庇本体１には、その幅方向一端縁が立上げられて、ブラケット３の背面の前記スペーサの上側にできる空隙に掛けられるフック部５が形成され、アングル材２には、その幅方向一端縁が立上げられて、ブラケット３の背面の前記スペーサの下側にできる空隙に差込まれる差込み部７が形成される。【選択図】図２
0003118500.tif 000002
【実用新案登録請求の範囲】
【請求項１】
アルミ等の長尺板製庇本体と、前記庇本体をその上面にて支持するアングル材と、柱等に止め付けられて前記アングル材を固定すると共に、前記庇本体を掛け止める複数のブラケットとから成り、前記ブラケットは、基板とその背面に一体化される前記基板よりも上下に短いスペーサとから成り、前記庇本体には、その幅方向一端縁が立上げられて、前記ブラケットの背面の前記スペーサの上側にできる空隙に掛けられるフック部が形成され、前記アングル材には、その幅方向一端縁が立上げられて、前記ブラケットの背面の前記スペーサの下側にできる空隙に差込まれる差込み部が形成されることを特徴とする庇。
【請求項２】
前記ブラケットは、前記フック部の内天面と前記アングル材の上端面との間の間隔よりも少し大きめのサイズである請求項１に記載の庇。
【請求項３】
前記庇本体は、前記アングル材上面にボルト止めされる請求項１に記載の庇。
【請求項４】
前記庇本体の前記フック部形成側と反対側の端縁は、下方に折曲されて前垂れが形成される請求項１乃至３のいずれかに記載の庇。
【請求項５】
前記前垂れは、簾等を引掛けるための引掛穴を有する請求項４に記載の庇。
【請求項６】
前記アングル材の前記差込み部形成側と反対側の端縁は、下方に折曲されて前垂れが形成される請求項１乃至５のいずれかに記載の庇。
【請求項７】
前記ブラケットは、座金を介して柱等に止め付けられる請求項１に記載の庇。
【考案の詳細な説明】
【技術分野】
【０００１】
本考案は庇、より詳細には、住宅の窓等の上側に、主に日除けのために設置される庇で、構成簡易で取付けが容易な庇に関するものである。
【背景技術】
【０００２】
一般住宅の窓等の開口部の上側に、日除け等のために前方に突き出る庇が設置される。庇は建築時に予め設置されることが多いが、後付けされることもある。
【０００３】
通常庇は、ビス止めによる直付けによって設置されるが、そのビス止め位置は柱等の下地材のある所となる。このビス止めのために庇本体にビス穴を設ける必要があるが、庇本体は、十分な強度を保持させる関係上、ある程度の厚さとされるため、これに現場でビス穴を穿設することは困難である。そこで一般には、予め工場出荷時に穿設されている。
【０００４】
しかし、穿設したビス穴の位置が柱の位置に合致しないことも少なくない。合致しなかった場合のことを考えて余分に穿設しておくこともあるが、その場合には、使用されなかったビス穴が露見して外観を損ねたり、防水上の問題が惹起されるおそれがある
【０００５】
そこで、このビス止めによる取付方法の外に、先に柱にブラケットを固定し、これに庇本体を引掛けるようにして取り付ける方法も行われている。
【０００６】
しかし、この方法の場合は、庇本体を支持するためのブラケットを用意しなければならず、一般にそのブラケットは複雑な形状となるために、その製造用金型に初期投資がかかるという問題がある。
【特許文献１】特開平８−９３１１３号公報
【特許文献２】特開平８−１３６７６号公報
【特許文献３】特開平６−２８８０３１号公報
【特許文献４】特開平６−１９３２２３号公報
【考案の開示】
【考案が解決しようとする課題】
【０００７】
従来の後付タイプの庇にはこのような多くの問題があり、殊に既存住宅に後付けする場合に寸法、取付位置等の制約を受けることに対応し切れなかったので、本考案はそのような問題のない、即ち、構成簡易且つ製造容易であって比較的低廉にて供給でき、しかもビス止めによる直付けによらずに容易且つ迅速に後付け設置でき、寸法や取付位置の制約を受ける既存住宅にも十分対応し得る庇を提供することを課題とする。
【課題を解決するための手段】
【０００８】
上記課題を解決するための請求項１に記載の考案は、アルミ等の長尺板製庇本体と、前記庇本体をその上面にて支持するアングル材と、柱等に止め付けられて前記アングル材を固定すると共に、前記庇本体を掛け止める複数のブラケットとから成り、前記ブラケットは、基板とその背面に一体化される前記基板よりも上下に短いスペーサとから成り、前記庇本体には、その幅方向一端縁が立上げられて、前記ブラケットの背面の前記スペーサの上側にできる空隙に掛けられるフック部が形成され、前記アングル材には、その幅方向一端縁が立上げられて、前記ブラケットの背面の前記スペーサの下側にできる空隙に差込まれる差込み部が形成されることを特徴とする庇である。
【０００９】
好ましくは、前記ブラケットは、前記フック部の内天面と前記アングル材の上端面との間の間隔よりも少し大きめのサイズである。かくして、ブラケットに対する庇本体のガタつきが防止される。
【００１０】
通例、前記庇本体は前記アングル材上面にボルト止めされ、また、前記庇本体の前記フック部形成側と反対側の端縁が下方に折曲されて、前垂れが形成され、そこに、簾等を掛けるための引掛け穴が穿設される。また、前記アングル材の前記差込み部形成側と反対側の端縁が下方に折曲されて、前垂れが形成される。
【考案の効果】
【００１１】
本考案に係る庇は上述したとおりであって、それぞれ高価な金型を用いることなく、主に折り曲げ加工によって製造し得るシンプルな形状の庇本体とアングル材とブラケットとから成るため、製造容易で廉価にて供給でき、しかも後付けであっても設置が容易なる効果がある。
【００１２】
請求項２に記載の考案においては、庇本体のガタつきが防止され、請求項６に記載の考案においては、庇本体裏面からの水滴が壁や窓に伝って流れることが防止される効果がある。
【考案を実施するための最良の形態】
【００１３】
本考案を実施するための最良の形態について、添付図面に依拠して説明する。図１は本考案に係る庇の設置状態を示す斜視図で、該庇は、庇本体１と、アングル材２と、ブラケット３とから成る。
【００１４】
庇本体１は、通例アルミ製長尺板で、前方側端部は下方に折曲されて前垂れ４が形成され、後端側端部は上方に折曲され、フック部５が形成される。好ましくは、前垂れ４の通例左右に、簾等を吊るすための引掛穴４ａを設ける。
【００１５】
アングル材２は、幅方向両端部が逆方向に折曲された断面クランク形状の通例アルミ製長尺板で、その上面に庇本体１が載せられ、通例複数のボルト６を介して庇本体１の裏面に固定される。アングル材２の上方折曲部は、後述するブラケット３に押さえ止められる差込み部７となる。
【００１６】
好ましくは、アングル材の差込み部７と反対側９端縁が下方に折曲されて、前垂れ７ａが形成される。この前垂れ７ａは、庇本体１の裏面を伝ってくる水滴が、壁面や窓に滴り流れることを防止する役目を果たす。
【００１７】
ブラケット３は、通例正方形又は長方形の金属製基板８の背面に、基板８よりも上下に短いスペーサ９を定着し、スペーサ９から基板８に抜けるネジ穴１０を設けて成るものである（図３、図４参照）。ブラケット３は、後述するように、フック部５の内天面とアングル材２の差込み部７側上端面との間の空間に収まることになるが、ブラケット３のサイズは、その空間の上下方向間隔よりも少し大きめとなるように設定される。
【００１８】
ブラケット３は、スペーサ９を壁側にして、ネジ穴１０を通してコーチスクリュウ１１等がネジ込まれることにより、柱１２又はまぐさ１３部分に固定される。その固定時において、基板８の裏側（壁側）上下に、スペーサ９の厚み分の空隙９ａ、９ｂができることになり、上側空隙９ａにフック部５が引掛かり、下側空隙９ｂに差込み部７が差込まれることになる（図４参照）。図１において、１４は胴縁、１５は防水紙を張った下地材、１６は窓を示す。
【００１９】
ブラケット３の取付面は、常に図４に示すような平坦な状態であるとは限らず、凹凸状態である場合も少なくない。ブラケット取付面がこのような凹凸状態である場合は、十分な空隙９ａ、９ｂを確保するために、座金１７を用いる（図５参照）。座金１７は、通例基板８と同サイズの金属板で、中心にネジ穴１０に連通するネジ穴１８を有する。この場合のブラケット３は、座金１７を壁側にして、ネジ穴１０からネジ穴１８にコーチスクリュウ１１をネジ込むことによって固定される。勿論、座金１７は、取付面が平坦な場合にも使用可能である。
【００２０】
本考案に係る庇は、上記各部品を組み付けることによって外壁に設置されるが、そのために先ず、上記のようにしてブラケット３を、例えばまぐさ１３の左右２個所に固定する。次いで、庇本体１のフック部５を、各ブラケット３背面の上側空隙９ａに引掛け、また、アングル材２の差込み部７を、その下側空隙９ｂに下方から差込み、アングル材２の上面を庇本体１の裏面に当接させて、庇本体１とアングル材２とを、複数のボルト６で連結固定する。
【００２１】
その連結固定の際、上述したように、ブラケット３の高さ寸法がフック部５の内天面とアングル材２の差込み部７側上端面との間の距離より少し大であるため、庇本体１とアングル材２とが離れ気味となるが、ボルト６を緊締することにより、庇本体１とアングル材２とが密着し、且つ、ブラケット３との一体感が向上し、ガタつきがなくなる。逆に、ブラケット３の高さ寸法が上記距離と同じかそれより短いと、庇本体１、アングル材２及びブラケット３の一体感が薄れ、ガタつきの原因となる。
【００２２】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２３】
【図１】本考案に係る庇の設置状態を示す斜視図である。
【図２】本考案に係る庇の設置状態を示す拡大側面図である。
【図３】本考案に係る庇を構成するブラケットの背面図である。
【図４】本考案に係る庇を構成するブラケットの側面図である。
【図５】本考案に係る庇を構成するブラケットの他の構成例の側面図である。
【符号の説明】
【００２４】
１    庇本体
２    アングル材
３    ブラケット
４    前垂れ
４ａ  引掛穴
５    フック部
６    ボルト
７    差込み部
８    基板
９    スペーサ
９ａ  上側空隙
９ｂ  下側空隙
１０    ネジ穴
１１    コーチスクリュウ
１２    柱
１３    まぐさ
１４    胴縁
１５    下地材
１６    窓
１７    座金
１８    ネジ穴
【図１】
0003118500.tif 000003
【図２】
0003118500.tif 000004
【図３】
0003118500.tif 000005
【図４】
0003118500.tif 000006
【図５】
0003118500.tif 000007